(57)【要約】【課題】閉蓋固着された状態からの開封を容易にすることを可能とする納豆容器を提供すること。【解決手段】蓋体２が、開封口側フランジ部２１ｂの端部側に蓋体側固着部２２を有し、容器本体３が、開封口側フランジ部３１ｂの端部側に本体側固着部３２を有し、分離加工部６を開封口側フランジ部２１ｂ、３１ｂ内に有し、分離加工部６が、収納凹部３７と本体側固着部３２の間に設けた折り曲げ罫線３５と、天蓋部２６と蓋体側固着部２２の間であって折り曲げ罫線３５と対応する部分に設けたミシン目２４とを有するものとする。【選択図】図１
2018177319.tif 000002
【特許請求の範囲】
【請求項１】
納豆を入れる収納凹部及び該収納凹部の上縁周囲にフランジ部を有する平面視略方形の容器本体と、
閉蓋時に前記収納凹部を覆う天蓋部及び該天蓋部周囲にフランジ部を有し、該容器本体の一辺にヒンジ部を介して開閉可能に連設され前記容器本体の開口を塞ぐ平面視略方形の蓋体と、
を有する納豆容器であって、
前記容器本体及び前記蓋体が、前記ヒンジ部に対向する側のフランジ部の端部側に、納豆を入れた後に前記容器本体と前記蓋体とを固着させる部分となる固着部を有し、
前記容器本体及び前記蓋体が、前記ヒンジ部に対向する側のフランジ部内に、固着された後に前記容器本体と前記蓋体とを切り離す部分となる分離加工部を有し、
前記分離加工部が、
前記容器本体の前記収納凹部と前記固着部の間に設けた前記ヒンジ部と平行な折り曲げ罫線と、
前記蓋体の前記天蓋部と前記固着部の間であって前記折り曲げ罫線と対応する部分に設けた前記ヒンジ部と平行なミシン目とを有することを特徴とする納豆容器。
【請求項２】
納豆を入れる収納凹部及び該収納凹部の上縁周囲にフランジ部を有する平面視略方形の容器本体と、
閉蓋時に前記収納凹部を覆う天蓋部及び該天蓋部周囲にフランジ部を有し、該容器本体の一辺にヒンジ部を介して開閉可能に連設され前記容器本体の開口を塞ぐ平面視略方形の蓋体と、
を有する納豆容器であって、
前記容器本体及び前記蓋体が、前記ヒンジ部に対向する側のフランジ部の端部側に、納豆を入れた後に前記容器本体と前記蓋体とを固着させる部分となる固着部を有し、
前記容器本体及び前記蓋体が、前記ヒンジ部に対向する側のフランジ部内に、固着された後に前記容器本体と前記蓋体とを切り離す部分となる分離加工部を有し、
前記分離加工部が、
前記蓋体の前記天蓋部と前記固着部の間に設けた前記ヒンジ部と平行な折り曲げ罫線と、
前記容器本体の前記収納凹部と前記固着部の間であって前記折り曲げ罫線と対応する部分に設けた前記ヒンジ部と平行なミシン目とを有することを特徴とする納豆容器。
【請求項３】
納豆を入れる収納凹部及び該収納凹部の上縁周囲にフランジ部を有する平面視略方形の容器本体と、
閉蓋時に前記収納凹部を覆う天蓋部及び該天蓋部周囲にフランジ部を有し、該容器本体の一辺にヒンジ部を介して開閉可能に連設され前記容器本体の開口を塞ぐ平面視略方形の蓋体と、
を有する納豆容器であって、
前記容器本体及び前記蓋体が、前記ヒンジ部に対向する側のフランジ部の端部側に、納豆を入れた後に前記容器本体と前記蓋体とを固着させる部分となる固着部を有し、
前記容器本体及び／又は前記蓋体が、前記ヒンジ部に対向する側のフランジ部内に、固着された後に前記容器本体と前記蓋体とを切り離す部分となる分離加工部を有し、
前記分離加工部が、
前記蓋体の前記天蓋部と前記固着部の間に設けた前記ヒンジ部と平行なミシン目
及び／又は
前記容器本体の前記収納凹部と前記固着部の間に設けた前記ヒンジ部と平行なミシン目
であることを特徴とする納豆容器。
【発明の詳細な説明】
【技術分野】
【０００１】
本発明は、容器本体と蓋体とがヒンジ部を介して連設される納豆容器に関する。
【背景技術】
【０００２】
従来、納豆容器は、納豆容器として、容器本体と蓋体とがヒンジ部を介して連設された発泡樹脂製の使い捨て容器が広く用いられている。納豆容器は、納豆を容器本体に充填した後、溶着や接着等によって指等で取り外し可能に容器本体に蓋体を固着させた状態で、容器入り納豆として販売され、中身の納豆を食べる際には、固着させた部分を剥がして蓋を開ける。攪拌時に邪魔となることを避けるために、ヒンジ部付近にミシン目を設けた納豆容器が知られている（例えば、特許文献１参照）。
【先行技術文献】
【特許文献】
【０００３】
【特許文献１】特開２０１０−２４１４８７号公報
【発明の概要】
【発明が解決しようとする課題】
【０００４】
しかし、従来の納豆容器では、開封する際に、固着させた部分が指でうまく開かず、容器が割れてしまうおそれがあるという問題があった。
【０００５】
したがって、本発明の第１の目的は、上記した課題を解決し、閉蓋固着された状態からの開封を容易にすることを可能とする納豆容器を提供することにある。
【課題を解決するための手段】
【０００６】
本発明の第１の態様は、上記目的を達成するため、納豆を入れる収納凹部及び該収納凹部の上縁周囲にフランジ部を有する平面視略方形の容器本体と、
閉蓋時に前記収納凹部を覆う天蓋部及び該天蓋部周囲にフランジ部を有し、該容器本体の一辺にヒンジ部を介して開閉可能に連設され前記容器本体の開口を塞ぐ平面視略方形の蓋体と、
を有する納豆容器であって、
前記容器本体及び前記蓋体が、前記ヒンジ部に対向する側のフランジ部の端部側に、納豆を入れた後に前記容器本体と前記蓋体とを固着させる部分となる固着部を有し、
前記容器本体及び前記蓋体が、前記ヒンジ部に対向する側のフランジ部内に、固着された後に前記容器本体と前記蓋体とを切り離す部分となる分離加工部を有し、
前記分離加工部が、
前記容器本体の前記収納凹部と前記固着部の間に設けた前記ヒンジ部と平行な折り曲げ罫線と、
前記蓋体の前記天蓋部と前記固着部の間であって前記折り曲げ罫線と対応する部分に設けた前記ヒンジ部と平行なミシン目とを有することを特徴とする納豆容器を提供する。前記折り曲げ罫線は、一条の折り曲げ罫線であることが好ましく、容器本体の下面側に直線状の窪みを設けて形成される一条の薄肉部であってもよい。前記ミシン目は、所定の間隔をあけて複数連続して設けられた、断続的な一条の貫通穴又は窪みであってもよい。前記窪みは、指で折り曲げて切り離し可能な程度に深い窪みであることが好ましい。
【０００７】
本発明の第１の態様によれば、閉蓋固着された状態からの開封を容易にすることを可能とする。容器本体及び蓋体のフランジ部のうち固着部を含む端部側をつまんで、容器本体側に折り曲げることによって、蓋体はミシン目部分で折断できる。容器本体の対応部分の厚みが薄いので折り曲げやすく、極めて容易に納豆容器を開封することができる。開封後、固着部側は容器本体と一体となっているため、余分なゴミが出ない。
【０００８】
本発明の第２の態様は、上記目的を達成するため、納豆を入れる収納凹部及び該収納凹部の上縁周囲にフランジ部を有する平面視略方形の容器本体と、
閉蓋時に前記収納凹部を覆う天蓋部及び該天蓋部周囲にフランジ部を有し、該容器本体の一辺にヒンジ部を介して開閉可能に連設され前記容器本体の開口を塞ぐ平面視略方形の蓋体と、
を有する納豆容器であって、
前記容器本体及び前記蓋体が、前記ヒンジ部に対向する側のフランジ部の端部側に、納豆を入れた後に前記容器本体と前記蓋体とを固着させる部分となる固着部を有し、
前記容器本体及び前記蓋体が、前記ヒンジ部に対向する側のフランジ部内に、固着された後に前記容器本体と前記蓋体とを切り離す部分となる分離加工部を有し、
前記分離加工部が、
前記蓋体の前記天蓋部と前記固着部の間に設けた前記ヒンジ部と平行な折り曲げ罫線と、
前記容器本体の前記収納凹部と前記固着部の間であって前記折り曲げ罫線と対応する部分に設けた前記ヒンジ部と平行なミシン目とを有することを特徴とする納豆容器を提供する。前記折り曲げ罫線は、一条の折り曲げ罫線であることが好ましく、蓋体の上面側に直線状の窪みを設けて形成される一条の薄肉部であってもよい。前記ミシン目は、所定の間隔をあけて複数連続して設けられた、断続的な一条の貫通穴又は窪みであってもよい。前記窪みは、指で折り曲げて切り離し可能な程度に深い窪みであることが好ましい。
【０００９】
本発明の第２の態様によれば、閉蓋固着された状態からの開封を容易にすることを可能とする。容器本体及び蓋体のフランジ部のうち固着部を含む端部側をつまんで、蓋体側に折り曲げることによって、容器本体はミシン目部分で折断できる。蓋体の対応部分の厚みが薄いので折り曲げやすく、極めて容易に納豆容器を開封することができる。開封後、固着部側は蓋体と一体となっているため、余分なゴミが出ない。
【００１０】
本発明の第３の態様は、上記目的を達成するため、納豆を入れる収納凹部及び該収納凹部の上縁周囲にフランジ部を有する平面視略方形の容器本体と、
閉蓋時に前記収納凹部を覆う天蓋部及び該天蓋部周囲にフランジ部を有し、該容器本体の一辺にヒンジ部を介して開閉可能に連設され前記容器本体の開口を塞ぐ平面視略方形の蓋体と、
を有する納豆容器であって、
前記容器本体及び前記蓋体が、前記ヒンジ部に対向する側のフランジ部の端部側に、納豆を入れた後に前記容器本体と前記蓋体とを固着させる部分となる固着部を有し、
前記容器本体及び／又は前記蓋体が、前記ヒンジ部に対向する側のフランジ部内に、固着された後に前記容器本体と前記蓋体とを切り離す部分となる分離加工部を有し、
前記分離加工部が、
前記蓋体の前記天蓋部と前記固着部の間に設けた前記ヒンジ部と平行なミシン目
及び／又は
前記容器本体の前記収納凹部と前記固着部の間に設けた前記ヒンジ部と平行なミシン目
であることを特徴とする納豆容器を提供する。
【００１１】
本発明の第３の態様によれば、閉蓋固着された状態からの開封を容易にすることを可能とする。容器本体と蓋体のいずれかにはミシン目を入れてあるので、薄肉部がないため折り曲げにくいものの、容器本体及び蓋体のフランジ部のうち固着部を含む端部側をつまんで、ミシン目がある側に折り曲げることにより、ミシン目部分で開封できる。容器本体と蓋体にミシン目を入れてあると、ミシン目を組み立て後に入れる必要があり切り離し後にゴミが出るものの、容器本体及び蓋体のフランジ部のうち固着部を含む端部側をつまんで、蓋体側に折り曲げても容器本体側に折り曲げても端からミシン目に沿って切り取っても、ミシン目部分で開封できる。
【発明の効果】
【００１２】
本発明によれば、閉蓋固着された状態からの開封を容易にすることを可能とする。
【図面の簡単な説明】
【００１３】
【図１】本発明の納豆容器の実施例１の構造説明図である。
【図２】本発明の納豆容器の実施例１の（ａ）平面図及び（ｂ）正面図である。
【図３】本発明の納豆容器の実施例１の固着部切離後の斜視図である。
【図４】本発明の納豆容器の実施例２の（ａ）平面図及び（ｂ）正面図である。
【図５】本発明の納豆容器の実施例３の（ａ）平面図及び（ｂ）正面図である。
【図６】本発明の納豆容器の実施例４の（ａ）平面図及び（ｂ）正面図である。
【図７】本発明の納豆容器の実施例５の（ａ）平面図及び（ｂ）正面図である。
【発明を実施するための形態】
【００１４】
以下、本発明について、実施例を用いて本発明を具体的に説明するが、本発明はこれらに限定されるものではない。
【実施例１】
【００１５】
実施例１の納豆容器は、容器本体に折り曲げ罫線があり、蓋体にミシン目があり、ミシン目部分で容器本体側に折断することにより容易に開封できる。
【００１６】
図１は、本発明の納豆容器の実施例１の構造説明図である。  また、図２は、本発明の納豆容器の実施例１の（ａ）平面図及び（ｂ）正面図である。実施例１の納豆容器１Ａは、蓋体２と、容器本体３と、容器本体３と蓋体２を繋ぐヒンジ部４と、を有する容器である。本実施例の納豆容器１Ａは、一体成形された発泡性樹脂製の容器であり、指等で折断でき、使い捨てできる容器である。発泡ポリスチレン、発泡ポリオレフィン樹脂等の発泡性樹脂の他、他の樹脂製であってもよい。
【００１７】
容器本体３は、納豆を入れる収納凹部３７と、収納凹部３７の上縁周囲にフランジ部３１を有し、平面視略方形のトレー型容器である。本体フランジ部３１は、外周が方形の鍔状であって、ヒンジ部に連なる側がヒンジ側本体フランジ部３１ａ、ヒンジ部に連なる側に対向する側が開封口側本体フランジ部３１ｂ、ヒンジ側本体フランジ部３１ａと開封口側本体フランジ部３１ｂとを繋ぐ両サイド部分が本体サイドフランジ部３１ｃ、３１ｄである。収納凹部３７の開口部の形状は、本実施例では正方形であるが、これに限られない。
【００１８】
なお、各図においては、収納凹部３７に施された凹凸については、図示を省略する。
【００１９】
蓋体２は、閉蓋時に容器本体３の収納凹部３７を覆う天蓋部２６と、天蓋部２６の周囲に蓋体フランジ部２１とを有する。蓋体２は、容器本体３の一辺にヒンジ部４を介して開閉可能に連設される。蓋体２は、天蓋部２６と蓋体フランジ部２１の境界に凹部を有する。蓋体２は、容器本体３の開口を塞ぐ平面視略方形のほぼ平らな蓋である。蓋体フランジ部２１は、外周が方形の鍔状であって、ヒンジ部に連なる側がヒンジ側フランジ部２１ａ、ヒンジ部に連なる側に対向する側が開封口側蓋体フランジ部２１ｂ、ヒンジ側蓋体フランジ部２１ａと開封口側フランジ部２１ｂとを繋ぐ両サイド部分が蓋体サイドフランジ部２１ｃ、２１ｄである。
【００２０】
ヒンジ部４は、蓋体２と容器本体３とが連設された一辺であって、容器の開閉方向と交差する方向、すなわち該辺上に一条の薄肉部を設けてなる部分であり、蓋体２を開閉可能とする。開封後に蓋体２と容器本体３とを別々にする、切り離し用のミシン目があってもよい。薄肉部の厚みは、周囲の半分程度であってもよい。
【００２１】
納豆容器１Ａは、納豆を入れた後に容器本体３と蓋体２とを固着させる部分となる固着部５を有する。固着部５は、容器本体３の上面側に設けた本体側固着部３２と、本体側固着部３２と対応する蓋体２の下面側に設けた蓋体側固着部２２とで構成される。詳細には、容器本体３は、ヒンジ部４に対向する側のフランジ部、すなわち、開封口側フランジ部３１ｂの端部側に、納豆を入れた後に容器本体３と蓋体２とを固着させる部分となる本体側固着部３２を有する。また、蓋体２は、ヒンジ部４に対向する側のフランジ部、すなわち、開封口側フランジ部２１ｂの端部側であって、容器本体３の本体側固着部３２と対応する部分に、納豆を入れた後に容器本体３と蓋体２とを固着させる部分となる蓋体側固着部２２を有する。図１においては、その裏側が蓋体側固着部２２となる部分を楕円で示して表す。図２（ａ）及び図３においても、その裏側が蓋体側固着部２２となる部分を楕円で示して表す。図４（ａ）〜図７（ａ）においても、蓋体側固着部２２について、図２（ａ）と同様に表す。
【００２２】
容器本体３と蓋体２の固着は、収納凹部３７に納豆を充填して、必要に応じて透明フィルムや調味料入り袋を投入したうえで、ヒンジ部４で折り曲げることによって容器本体３の上に蓋体２を重ね合わせて互いのフランジ部外周がほぼ合うように合わせ、容器本体と蓋体の両方の開封口側フランジ部の端部側の１カ所又は複数箇所で、重ね合わせて、固着する。このように納豆充填後に固着する部分が、固着部５である。本実施例では、熱溶着によって固着するが、超音波溶着をしたり、間に接着剤を挟んで接着したりすることによって固着してもよい。
【００２３】
納豆容器１Ａは、容器本体３と蓋体２とが固着された後に容器本体３と蓋体２とを切り離す部分となる分離加工部６を有する。
【００２４】
本実施例では、分離加工部６は、容器本体３の折り曲げ罫線３５と、折り曲げ罫線３５と対応する蓋体２のミシン目２４とで構成される。容器本体３の折り曲げ罫線３５は、ヒンジ部４に対向する側のフランジ部、すなわち、開封口側フランジ部３１ｂ内であって、容器本体３の収納凹部３７と本体側固着部３２の間に設けてあり、ヒンジ部４と平行な、一条の折り曲げ罫線である。本実施例においては、折り曲げ罫線３５は、下面側でヒンジ部４と平行なライン状の窪みを有する一条の薄肉部である。また、蓋体２のミシン目２４は、ヒンジ部４に対向する側のフランジ部、すなわち、開封口側フランジ部２１ｂ内であって、天蓋部２６と蓋体固着部２２の間であって折り曲げ罫線３５と対応する部分に設けた、ヒンジ部４と平行な、一条のミシン目２４である。折り曲げ罫線３５とミシン目２４は、容器本体３に蓋体２を閉蓋した状態で、上下に対応する部分である。
【００２５】
すなわち、納豆容器１Ａは、蓋体２が、開封口側フランジ部２１ｂの端部側に蓋体側固着部２２を有し、容器本体３が、開封口側フランジ部３１ｂの端部側に本体側固着部３２を有し、分離加工部６を開封口側フランジ部２１ｂ、３１ｂ内に有し、分離加工部６が、収納凹部３７と本体側固着部３２の間に設けた折り曲げ罫線３５と、天蓋部２６と蓋体側固着部２２の間であって折り曲げ罫線３５と対応する部分に設けたミシン目２４とを有する。
【００２６】
本実施例では、ミシン目２４は、ミシン目穴長（スリット）が２ｍｍ、各ミシン目間隔が１ｍｍであるが、これに限らず、例えば、ミシン目穴長（スリット）が１〜１０ｍｍ、各ミシン目間隔が０．５〜２ｍｍ（ただし、ミシン目穴長（スリット）より短い間隔）であってもよい。本実施例では、ミシン目穴は一条のスリット貫通穴であるが、指で折り曲げて切り離し可能な程度に深い一条の窪みであってもよい。窪みの場合、例えば、フランジ部の厚みが２ｍｍであるとき、窪みの深さは０．６〜１．３ｍｍであることが好ましい。ミシン目は、例えば、切削加工やレーザー加工などで設けてもよい。
【００２７】
図３は、本発明の納豆容器の実施例１の固着部切離後の斜視図である。分離加工部６は、納豆容器１Ａに納豆を充填し、固着部５で固着させた後、販売され、容器内の納豆を食べる際に、容器本体３の一部と蓋体２の一部とを分離することを可能とする部分である。分離する際には、容器本体３のフランジ部３１及び蓋体２のフランジ部２１のうち固着部５を含む端部側をつまんで、容器本体側、すなわち、容器本体の下面側に折り曲げることによって、蓋体２はミシン目２４で折断でき、固着部５を剥がさないままで、容易に開封できる。容器本体３が折り曲げ罫線３５に沿って下側に折れ曲がるとともに、蓋体２は、折り曲げ罫線３５の直上に位置するミシン目２４に沿って破断し、破断部分より開封口側フランジ部２１ｂの端部側は容器本体３に固着されたまま下側に折れ曲がり、破断部分より開封口側フランジ部２１ｂのヒンジ側は容器本体３から切り離されて上方へ開く。分離加工部６は、蓋体２と容器本体３を２体に切り離すのではなくヒンジ部でつながったまま、かつ本体側固着部３２と蓋体側固着部２２は固着したままの状態で、開封を容易にするものである。本実施例によれば、閉蓋固着された状態からの開封を容易にすることを可能とする。容器本体の対応部分の厚みが薄いので折り曲げやすく、極めて容易に納豆容器を開封することができる。開封後、固着部側は容器本体と一体となっているため、余分なゴミが出ない。
【実施例２】
【００２８】
実施例２の納豆容器は、蓋体に折り曲げ罫線があり、容器本体にミシン目があり、ミシン目部分で蓋体側に折断することにより容易に開封できる。
【００２９】
図４は、本発明の納豆容器の実施例２の（ａ）平面図及び（ｂ）正面図である。実施例２の納豆容器１Ｂは、分離加工部６の代わりに分離加工部６’である以外は実施例１の納豆容器１と同じである。
【００３０】
本実施例では、分離加工部６’は、蓋体２の折り曲げ罫線２５と、折り曲げ罫線２５と対応する容器本体３のミシン目３４とで構成される。蓋体２の折り曲げ罫線２５は、ヒンジ部４に対向する側のフランジ部、すなわち、開封口側フランジ部２１ｂ内であって、蓋体２の天蓋部２６と蓋体側固着部２２の間に設けてあり、ヒンジ部４と平行な、一条の折り曲げ罫線である。本実施例においては、折り曲げ罫線２５は、下面側でヒンジ部４と平行なライン状の窪みを有する一条の薄肉部である。また、容器本体３のミシン目３４は、ヒンジ部４に対向する側のフランジ部、すなわち、開封口側フランジ部３１ｂ内であって、収納凹部３７と容器本体固着部３２の間であって折り曲げ罫線２５と対応する部分に設けた、ヒンジ部４と平行な、一条のミシン目３４である。折り曲げ罫線２５とミシン目３４は、容器本体３に蓋体２を閉蓋した状態で、上下に対応する部分である。分離加工部６’は、上述した点以外は、分離加工部６と同様である。
【００３１】
納豆容器１Ｂに納豆を充填し、固着部５で固着させた後、販売され、容器内の納豆を食べる際、容器本体３のフランジ部３１及び蓋体２のフランジ部２１のうち固着部５を含む端部側をつまんで、蓋体側、すなわち、蓋体の上面側に折り曲げることによって、容器本体３はミシン目３４で折断でき、固着部５を剥がさないままで、容易に開封できる。蓋体２が折り曲げ罫線２５に沿って上側に折れ曲がるとともに、容器本体３は、折り曲げ罫線２５の直下に位置するミシン目３４に沿って破断し、破断部分より開封口側フランジ部３１ｂのヒンジ側は蓋体２に固着されたまま上側に折れ曲がり、破断部分より開封口側フランジ部２１ｂの端部側は蓋体２から切り離されて下方へ開く。分離加工部６’は、蓋体２と容器本体３を切り離すのではなく、開封を容易にするものである。本実施例によれば、閉蓋固着された状態からの開封を容易にすることを可能とする。蓋体の対応部分の厚みが薄いので折り曲げやすく、極めて容易に納豆容器を開封することができる。開封後、固着部側は蓋体と一体となっているため、余分なゴミが出ない。
【実施例３】
【００３２】
実施例３の納豆容器は、蓋体と容器本体の両方にミシン目があり、ミシン目に沿って切り取ることにより開封できる。
【００３３】
図５は、本発明の納豆容器の実施例３の（ａ）平面図及び（ｂ）正面図である。実施例３の納豆容器１Ｃは、分離加工部６の代わりに分離加工部７である以外は実施例１の納豆容器１と同じである。
【００３４】
本実施例では、分離加工部７は、蓋体２のミシン目２４と、ミシン目２４と対応する容器本体３のミシン目３４とで構成される。蓋体２のミシン目２４は、ヒンジ部４に対向する側のフランジ部、すなわち、開封口側フランジ部２１ｂ内であって、蓋体２の天蓋部２６と蓋体側固着部２２の間に設けてあり、ヒンジ部４と平行な、一条のミシン目である。本実施例においては、また、容器本体３のミシン目３４は、ヒンジ部４に対向する側のフランジ部、すなわち、開封口側フランジ部３１ｂ内であって、収納凹部３７と容器本体固着部３２の間であってミシン目２４と対応する部分に設けた、ヒンジ部４と平行な、一条のミシン目３４である。ミシン目２４とミシン目３４は、容器本体３に蓋体２を閉蓋した状態で、上下に対応する部分である。分離加工部７は、上述した点以外は、分離加工部６と同様である。
【００３５】
納豆容器１Ｃに納豆を充填し、固着部５で固着させた後、販売され、容器内の納豆を食べる際、容器本体３のフランジ部３１及び蓋体２のフランジ部２１のうち固着部５を含む端部側をつまんで、上下どちらか又はミシン目に沿った方向へ切り取ることによって、容器本体３及び蓋体２はミシン目２４、３４で切断でき、固着部５を剥がさないままで、容易に開封できる。分離加工部７は、蓋体２と容器本体３を切り離すのではなく、開封を容易にするものである。本実施例によれば、閉蓋固着された状態からの開封を容易にすることを可能とする。ミシン目を組み立て後に入れる必要があり切り離し後にゴミが出るものの、容器本体及び蓋体のフランジ部のうち固着部を含む端部側をつまんで、蓋体側に折り曲げても容器本体側に折り曲げても端からミシン目に沿って切り取っても、ミシン目部分で開封できる。
【実施例４】
【００３６】
実施例４の納豆容器は、蓋体のみにミシン目があり、ミシン目部分で破断することにより開封できる。
【００３７】
図６は、本発明の納豆容器の実施例４の（ａ）平面図及び（ｂ）正面図である。実施例４の納豆容器１Ｄは、分離加工部７の代わりに分離加工部８である以外は実施例３の納豆容器１と同じである。
【００３８】
本実施例では、分離加工部８は、蓋体２のミシン目２４のみで構成される。容器本体の対応部分にはミシン目や罫線はない。蓋体２のミシン目２４は、ヒンジ部４に対向する側のフランジ部、すなわち、開封口側フランジ部２１ｂ内であって、蓋体２の天蓋部２６と蓋体側固着部２２の間に設けてあり、ヒンジ部４と平行な、一条のミシン目である。分離加工部８は、上述した点以外は、分離加工部７と同様である。
【００３９】
納豆容器１Ｄに納豆を充填し、固着部５で固着させた後、販売され、容器内の納豆を食べる際、容器本体３のフランジ部３１及び蓋体２のフランジ部２１のうち固着部５を含む端部側をつまんで、下方へ折り曲げてミシン目２４に力を集中させることにより、容器本体３及び蓋体２はミシン目２４で切断でき、固着部５を剥がさないままで、容易に開封できる。分離加工部８は、蓋体２と容器本体３を切り離すのではなく、開封を容易にするものである。本実施例によれば、閉蓋固着された状態からの開封を容易にすることを可能とする。薄肉部がないため折り曲げにくいものの、容器本体及び蓋体のフランジ部のうち固着部を含む端部側をつまんで、ミシン目がある側に折り曲げることにより、ミシン目部分で開封できる。開封後、固着部側は蓋体と一体となっているため、余分なゴミが出ない。
【実施例５】
【００４０】
実施例５の納豆容器は、容器本体のみにミシン目があり、ミシン目部分で破断することにより開封できる。
【００４１】
図７は、本発明の納豆容器の実施例５の（ａ）平面図及び（ｂ）正面図である。実施例５の納豆容器１Ｅは、分離加工部８の代わりに分離加工部８’である以外は実施例４の納豆容器１と同じである。
【００４２】
本実施例では、分離加工部８’は、容器本体３のミシン目３４のみで構成される。蓋体の対応部分にはミシン目や罫線はない。容器本体３のミシン目３４は、ヒンジ部４に対向する側のフランジ部、すなわち、開封口側フランジ部３１ｂ内であって、容器本体３の収納凹部３７と本体側固着部３２の間に設けてあり、ヒンジ部４と平行な、一条のミシン目である。分離加工部８’は、上述した点以外は、分離加工部８と同様である。
【００４３】
納豆容器１Ｅに納豆を充填し、固着部５で固着させた後、販売され、容器内の納豆を食べる際、容器本体３のフランジ部３１及び蓋体２のフランジ部２１のうち固着部５を含む端部側をつまんで、上方へ折り曲げてミシン目３４に力を集中させることにより、容器本体３及び蓋体２はミシン目３４で切断でき、固着部５を剥がさないままで、容易に開封できる。分離加工部８’は、蓋体２と容器本体３を切り離すのではなく、開封を容易にするものである。本実施例によれば、閉蓋固着された状態からの開封を容易にすることを可能とする。薄肉部がないため折り曲げにくいものの、蓋体のみにミシン目がある実施例４よりはやや切断しやすく、容器本体及び蓋体のフランジ部のうち固着部を含む端部側をつまんで、ミシン目がある側に折り曲げることにより、ミシン目部分で開封できる。開封後、固着部側は蓋体と一体となっているため、余分なゴミが出ない。
【００４４】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【符号の説明】
【００４５】
１Ａ、１Ｂ、１Ｃ、１Ｄ、１Ｅ    納豆容器
２        蓋体
２１      蓋体フランジ部
２１ａ    ヒンジ側蓋体フランジ部
２１ｂ    開封口側蓋体フランジ部
２１ｃ    蓋体サイドフランジ部
２１ｄ    蓋体サイドフランジ部
２２      蓋体側固着部
２４      ミシン目
２５      折り曲げ罫線
２６      天蓋部
３        容器本体
３１      本体フランジ部
３１ａ    ヒンジ側本体フランジ部
３１ｂ    開封口側本体フランジ部
３１ｃ    本体サイドフランジ部
３１ｄ    本体サイドフランジ部
３２      本体側固着部
３４      ミシン目
３５      折り曲げ罫線
３７      収納凹部
４        ヒンジ部
５        固着部
６、６’  分離加工部
７        分離加工部
８、８’  分離加工部
【図１】
2018177319.tif 000003
【図２】
2018177319.tif 000004
【図３】
2018177319.tif 000005
【図４】
2018177319.tif 000006
【図５】
2018177319.tif 000007
【図６】
2018177319.tif 000008
【図７】
2018177319.tif 000009